Podtech/llm-jp-corpus-v4-ja_patent huggingface dataset:
【手続補正書】
【提出日】令和3年5月25日(2021.5.25)
【手続補正１】
【補正対象書類名】明細書
【補正対象項目名】０００７
【補正方法】変更
【補正の内容】
【０００７】
（１）本発明は、遊技媒体が移動する遊技領域を備えた遊技機であって、設定値を記憶する設定値記憶手段と、前記設定値記憶手段に記憶されている設定値に応じた確率で遊技抽選を行う抽選手段と、前記遊技抽選の結果が特定の結果となった場合に、前記遊技領域に設けられた所定領域に遊技媒体が進入可能となる状態に可動部を動作させる特別遊技を実行する特別遊技実行手段と、第１遊技状態と第２遊技状態を含む複数の遊技状態の間で遊技状態を移行させる遊技状態移行制御手段と、前記遊技抽選の結果に応じて演出表示装置に演出画像を表示させる演出制御手段を備え、前記演出制御手段は、特定の設定値が設定されていることを示唆する設定示唆画像を前記演出表示装置に表示させる場合があり、前記第１遊技状態において前記遊技抽選の結果が特定の結果となった場合であって、前記設定示唆画像を表示させる場合には、前記演出表示装置に特定画像と前記設定示唆画像を表示させ、前記第２遊技状態において前記遊技抽選の結果が特定の結果となった場合であって、前記設定示唆画像を表示させる場合には、前記演出表示装置に前記特定画像を表示させずに前記設定示唆画像を表示させることを特徴とする遊技機に関するものである。
【手続補正２】
【補正対象書類名】特許請求の範囲
【補正対象項目名】全文
【補正方法】変更
【補正の内容】
【特許請求の範囲】
【請求項１】
遊技媒体が移動する遊技領域を備えた遊技機であって、
設定値を記憶する設定値記憶手段と、
前記設定値記憶手段に記憶されている設定値に応じた確率で遊技抽選を行う抽選手段と、
前記遊技抽選の結果が特定の結果となった場合に、前記遊技領域に設けられた所定領域に遊技媒体が進入可能となる状態に可動部を動作させる特別遊技を実行する特別遊技実行手段と、
第１遊技状態と第２遊技状態を含む複数の遊技状態の間で遊技状態を移行させる遊技状態移行制御手段と、
前記遊技抽選の結果に応じて演出表示装置に演出画像を表示させる演出制御手段を備え、
前記演出制御手段は、
特定の設定値が設定されていることを示唆する設定示唆画像を前記演出表示装置に表示させる場合があり、
前記第１遊技状態において前記遊技抽選の結果が特定の結果となった場合であって、前記設定示唆画像を表示させる場合には、前記演出表示装置に特定画像と前記設定示唆画像を表示させ、
前記第２遊技状態において前記遊技抽選の結果が特定の結果となった場合であって、前記設定示唆画像を表示させる場合には、前記演出表示装置に前記特定画像を表示させずに前記設定示唆画像を表示させることを特徴とする遊技機。
【請求項２】
請求項１において、
前記抽選手段は、
前記第１遊技状態よりも前記第２遊技状態の方が、前記遊技抽選の結果が特定の結果となる確率が高くなるように前記遊技抽選を行い、
前記遊技状態移行制御手段は、
前記第１遊技状態において前記遊技抽選の結果が特定の結果となった場合に、所定条件下で遊技状態を前記第２遊技状態に移行させることを特徴とする遊技機。
【手続補正書】
【提出日】令和3年7月8日(2021.7.8)
【手続補正１】
【補正対象書類名】明細書
【補正対象項目名】０００２
【補正方法】変更
【補正の内容】
【０００２】
腰椎椎間板ヘルニアに対して使用する脊椎経皮的内視鏡１は脊椎手術において使用する内視鏡の中でもとりわけ小径で，図１，図３のように体内に挿入する本体部分１aは外径6mm弱から6.5mm弱の細長い円柱で，そのなかに鏡筒１a１と光源路１a２と潅流水路１a３と作業用内腔１a４が一体となったもので，カメラ接続部１bにカメラを接続し，内視鏡先の状況を拡大してモニターに写し，微細な部分まで視認しながら，作業用内腔１a４に挿入した鉗子３（図１，２）やドリル等の器具にて操作する手術器具である．鉗子３の基本形状は外径が3mmから3.5mmの円柱形であり，円筒状の作業用内腔１a４内に挿入できる．脊椎経皮的内視鏡の本体部分１aの外径よりわずかに大きな内径で外径7mmから7.5mmの円筒形の外筒２を小皮膚切開から脊椎へ挿入し，そのなかに脊椎経皮的内視鏡１の本体部分１aを挿入し，外筒２の先端部により脊椎経皮的内視鏡先の空間を確保しながら作業を行う．皮膚切開も長さ６〜７mmと小さく，表皮から脊椎に至る経路の侵襲も最小限にできる．
【手続補正２】
【補正対象書類名】明細書
【補正対象項目名】００１２
【補正方法】変更
【補正の内容】
【００１２】
本発明の実施形態１は，図５〜９のように，第一顎部４a（図７，８，９では斜線塗りで示している部分）のジョイント部４a２と支軸部４a３は連続した一枚板で，第一顎部ジョイント部４a２の一枚板に接続する第一リンク６aの先端ジョイント部６a１は二枚板となっており，第一リンク先端ジョイント部６a１の二枚板の間に第一顎部ジョイント部４a２の一枚板がはさまり，第一軸８a１にて接続している．第二顎部４bのジョイント部４b２と支軸部４b３は連続した二枚板で，第二顎部４bのジョイント部４b２に接続する第二リンク６bの先端ジョイント部６b１は一枚板となっており，第二顎部ジョイント部４b２の二枚板の間に第二リンク先端ジョイント部６b１の一枚板がはさまり，第二軸８b１にて接続している．シャフト５の先端部５´は二枚板となっておりその間に第二顎部支軸部４b３の二枚板が挟まり，さらに第一顎部支軸部４a３の一枚板が挟まり，それらシャフト先端部５´と第二顎部支軸部４b３と第一顎部支軸部４a３とは総支軸８abにて接続している．第一軸８a１と第二軸８b１は，図７のように両顎部伸展時において側方から見て総支軸８abを挟んで先端側と手元側に位置し，さらに鉗子長軸方向から見ても図９のように中央にある総支軸８abを挟んで対側に位置している．
【手続補正３】
【補正対象書類名】特許請求の範囲
【補正対象項目名】請求項１
【補正方法】変更
【補正の内容】
【請求項１】
二つの顎部が独立して同方向に屈曲する経皮的内視鏡用鉗子において，
第一顎部のジョイント部が一枚板で，それに接続する第一リンクの先端ジョイント部は二枚板となっており，第一リンク先端ジョイント部の二枚板の間に第一顎部ジョイント部の一枚板がはさまり，第一軸にて接続しており，
第二顎部のジョイント部が二枚板で，それに接続する第二リンクの先端ジョイント部は一枚板となっており，第二顎部ジョイント部の二枚板の間に第二リンク先端ジョイント部の一枚板がはさまり，第二軸にて接続しており，
シャフト先端部の二枚板の間に第二顎部支軸部の二枚板が挟まり，第二顎部支軸部の二枚板の間に第一顎部支軸部の一枚板が挟まり，シャフト先端部と第二顎部支軸部と第一顎部支軸部とは総支軸にて接続し，
第一軸と第二軸は，両顎部伸展時において側方から見て総支軸を挟んで先端側と手元側にそれぞれ位置し，さらに鉗子長軸方向から見ても中央にある総支軸を挟んで対側に位置し，
第一リンクは第一ロッドに接続し，第二リンクは第二ロッドに接続し，ロッドはシャフト手元側に位置するそれぞれの手動操作部にて摺動されることを特徴とする経皮的内視鏡用鉗子．
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
図柄始動手段に入賞した遊技球を検出する始動入賞検出手段と、
前記始動入賞検出手段が遊技球を検出することに基づいて図柄を変動表示可能な図柄表示手段と、
前記図柄表示手段による変動後の停止図柄が特定態様となった場合に特別遊技を実行する特別遊技実行手段と、
前記始動入賞検出手段よりも下流側でアウト球を検出するアウト球検出手段と、
前記アウト球検出手段による検出に基づいて、特定期間中におけるアウト個数をカウントする通常アウトカウンタと、
前記始動入賞検出手段を含む入賞検出手段による検出に基づいて、前記特定期間中における特定数をカウントする特定数カウンタと、
前記通常アウトカウンタと前記特定数カウンタとによる各カウント値に基づいて特定値を算出する特定値算出手段とを備え、
前記特定期間は、少なくとも前記図柄表示手段による図柄変動の終了後に、所定の開始条件が満たされた場合に開始し、前記図柄表示手段による図柄変動の終了後に、所定の終了条件が満たされた場合に終了する
遊技機において、
前記特定期間中において、前記終了条件が満たされる前の最後の前記図柄変動を実行する場合には、該図柄変動の変動時間を、前記始動入賞検出手段により検出された遊技球が、その後に前記アウト球検出手段により検出されるまでにかかる第１特定時間よりも長い時間に設定し、
前記特定期間中において、前記終了条件が満たされる前の最後の前記図柄変動の所定期間を、前記入賞検出手段により検出された遊技球が、その後に前記アウト球検出手段により検出されるまでにかかる第２特定時間よりも短い時間に設定し、
前記所定期間は、図柄確定期間を含み、
前記図柄確定期間中は停止図柄の確定表示を行う
ことを特徴とする遊技機。
【手続補正２】
【補正対象書類名】明細書
【補正対象項目名】０００２
【補正方法】変更
【補正の内容】
【０００２】
パチンコ機等の遊技機では、性能情報の一例としていわゆるベース値を算出し、遊技機裏側に配置した表示装置（性能表示モニタ）に表示する性能表示機能（特許文献１）を搭載することが義務付けられることとなった。このベース値は、アウト個数に対する払い出し個数の比率として算出されるが、ベース値の算出に用いられるアウト個数、払い出し個数（入賞個数）を計数する期間は特定期間、例えば低確率且つ時短無しの期間に限られている。
【手続補正３】
【補正対象書類名】明細書
【補正対象項目名】０００３
【補正方法】変更
【補正の内容】
【０００３】
【特許文献１】特開２０１８−０６１８２５号公報
【手続補正４】
【補正対象書類名】明細書
【補正対象項目名】０００４
【補正方法】変更
【補正の内容】
【０００４】
本発明は、入賞手段等への入球タイミングとアウト球検出手段による検出タイミングとの間に時間差があるにも拘わらず、算出される性能情報への悪影響を最小限に抑えることが可能な遊技機を提供することを目的とする。
【手続補正５】
【補正対象書類名】明細書
【補正対象項目名】０００５
【補正方法】変更
【補正の内容】
【０００５】
本発明は、図柄始動手段に入賞した遊技球を検出する始動入賞検出手段と、前記始動入賞検出手段が遊技球を検出することに基づいて図柄を変動表示可能な図柄表示手段と、前記図柄表示手段による変動後の停止図柄が特定態様となった場合に特別遊技を実行する特別遊技実行手段と、前記始動入賞検出手段よりも下流側でアウト球を検出するアウト球検出手段と、前記アウト球検出手段による検出に基づいて、特定期間中におけるアウト個数をカウントする通常アウトカウンタと、前記始動入賞検出手段を含む入賞検出手段による検出に基づいて、前記特定期間中における特定数をカウントする特定数カウンタと、前記通常アウトカウンタと前記特定数カウンタとによる各カウント値に基づいて特定値を算出する特定値算出手段とを備え、前記特定期間は、少なくとも前記図柄表示手段による図柄変動の終了後に、所定の開始条件が満たされた場合に開始し、前記図柄表示手段による図柄変動の終了後に、所定の終了条件が満たされた場合に終了する遊技機において、前記特定期間中において、前記終了条件が満たされる前の最後の前記図柄変動を実行する場合には、該図柄変動の変動時間を、前記始動入賞検出手段により検出された遊技球が、その後に前記アウト球検出手段により検出されるまでにかかる第１特定時間よりも長い時間に設定し、前記特定期間中において、前記終了条件が満たされる前の最後の前記図柄変動の所定期間を、前記入賞検出手段により検出された遊技球が、その後に前記アウト球検出手段により検出されるまでにかかる第２特定時間よりも短い時間に設定し、前記所定期間は、図柄確定期間を含み、前記図柄確定期間中は停止図柄の確定表示を行うものである。
【手続補正６】
【補正対象書類名】明細書
【補正対象項目名】０００６
【補正方法】変更
【補正の内容】
【０００６】
本発明によれば、入賞手段等への入球タイミングとアウト球検出手段による検出タイミングとの間に時間差があるにも拘わらず、算出される性能情報への悪影響を最小限に抑えることが可能となる。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
リンパ管静脈吻合術の前に被検体への光照射により発生した光音響波に基づいて生成された第１画像、および、リンパ管静脈吻合術の後に前記被検体への光照射により発生した光音響波に基づいて生成された第２画像を取得する画像取得手段と、
前記第１画像および前記第２画像をそれぞれ解析することにより、前記第１画像の特徴量および前記第２画像の特徴量を算出する特徴量算出手段と、
前記第１画像の特徴量および前記第２画像の特徴量に基づいて、リンパ管静脈吻合術が前記被検体に与えた変化を示す評価情報を生成する評価手段と、
を有することを特徴とする画像処理装置。
【請求項２】
リンパ管静脈吻合術の前に被検体への光照射により発生した光音響波に基づいて生成された第１画像、および、リンパ管静脈吻合術の後に前記被検体への光照射により発生した光音響波に基づいて生成された第２画像を取得し、
前記第１画像および前記第２画像をそれぞれ解析することにより、前記第１画像の特徴量および前記第２画像の特徴量を算出し、
前記第１画像の特徴量および前記第２画像の特徴量に基づいて、リンパ管静脈吻合術が前記被検体に与えた変化を示す評価情報を生成する
ことを特徴とする画像処理方法。
【請求項３】
請求項２に記載の画像処理方法をコンピュータに実行させるためのプログラム。
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
蛍光性の造影剤が導入された被検体への励起光の照射により発生した蛍光を撮像することにより生成された第１画像を取得する画像取得手段と、
前記被検体への光照射により発生した光音響波を受信する光音響測定を行う光音響測定手段と、
を備え、
前記光音響測定手段は、前記第１画像に基づいて、前記光音響測定を制御する
ことを特徴とするシステム。
【請求項２】
蛍光性の造影剤が導入された被検体への励起光の照射により発生した蛍光を撮像することにより生成された第１画像を取得する第１画像取得手段と、
前記被検体への光照射により発生した光音響波に基づいて生成された第２画像を取得する第２画像取得手段と、
前記第１画像と前記第２画像とを合成して合成画像を生成する合成手段と、
を有することを特徴とする画像処理装置。
【請求項３】
蛍光性の造影剤が導入された被検体への励起光の照射により発生した蛍光を撮像することにより生成された第１画像を取得するステップと、
前記第１画像に基づいて、前記被検体への光照射により発生した光音響波を受信する光音響測定を制御するステップと、
を含む、ことを特徴とする測定制御方法。
【請求項４】
蛍光性の造影剤が導入された被検体への励起光の照射により発生した蛍光を撮像することにより生成された第１画像を取得するステップと、
前記被検体への光照射により発生した光音響波に基づいて生成された第２画像を取得するステップと、
前記第１画像と前記第２画像とを合成して合成画像を生成するステップと、
を含む、ことを特徴とする画像処理方法。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
造影剤が導入された被検体に複数回光を照射することで発生した音響波に基づいて生成された、前記複数回の光照射のそれぞれに対応する第一の画像データを時系列で取得するデータ取得手段と、
時系列で取得した複数の前記第一の画像データのそれぞれに対して、画像値が所定の範囲にある領域を抽出し、抽出された複数の領域を合成した領域を示す第二の画像データを生成する画像生成手段と、
を有することを特徴とする、画像処理装置。
【請求項２】
前記画像生成手段は、前記複数の第一の画像データのそれぞれについて、画像値が所定の範囲にある領域を抽出し、抽出した複数の領域を合成した領域を、前記造影剤に対応する領域とする
ことを特徴とする、請求項１に記載の画像処理装置。
【請求項３】
前記画像生成手段は、前記時系列で取得された第一の画像データのうちの所定の期間に含まれる複数の前記第一の画像データにおいて、画像値が所定の範囲にある領域を抽出し、当該抽出された領域を前記造影剤に対応する領域とする
ことを特徴とする、請求項１に記載の画像処理装置。
【請求項４】
前記データ取得手段は、前記被検体内の吸収係数分布をさらに取得し、
前記画像生成手段は、前記吸収係数が所定の閾値を超えていない領域を、前記造影剤に対応する領域から除外する
ことを特徴とする、請求項１から３のいずれか１項に記載の画像処理装置。
【請求項５】
前記画像生成手段は、前記第二の画像データにおける前記造影剤に対応する領域に対して、前記第一の画像データの画像値に応じた色相を与える
ことを特徴とする、請求項１から４のいずれか１項に記載の画像処理装置。
【請求項６】
前記画像生成手段は、前記第二の画像データにおける前記造影剤に対応する領域に対し
て、前記被検体内の吸収係数に応じた輝度を与える
ことを特徴とする、請求項１から４のいずれか１項に記載の画像処理装置。
【請求項７】
前記第一の画像データは、前記被検体に互いに異なる複数の波長の光をそれぞれ照射することによって得られた複数の光音響画像データに対して演算を行うことで生成された分光画像である、
ことを特徴とする、請求項１から３のいずれか１項に記載の画像処理装置。
【請求項８】
前記複数の波長は、７９７ｎｍおよび８３５ｎｍである
ことを特徴とする、請求項７に記載の画像処理装置。
【請求項９】
前記複数の第一の画像データを動画像として出力し、前記第二の画像データを静止画として出力する表示制御手段をさらに有する
ことを特徴とする、請求項１から８のいずれか１項に記載の画像処理装置。
【請求項１０】
前記表示制御手段は、前記動画像を所定の速度で繰り返し表示可能である
ことを特徴とする、請求項９に記載の画像処理装置。
【請求項１１】
前記表示制御手段は、前記動画像を早送り表示可能である
ことを特徴とする、請求項９または１０に記載の画像処理装置。
【請求項１２】
前記第二の画像データは、前記造影剤に対応する領域が強調表示された画像である
ことを特徴とする、請求項１から１１のいずれか１項に記載の画像処理装置。
【請求項１３】
造影剤が導入された被検体に複数回光を照射することで発生した音響波に基づいて生成された、前記複数回の光照射のそれぞれに対応する第一の画像データを時系列で取得するデータ取得ステップと、
時系列で取得した複数の前記第一の画像データのそれぞれに対して、画像値が所定の範囲にある領域を抽出し、抽出された複数の領域を合成した領域を示す第二の画像データを生成する画像生成ステップと、
を含むことを特徴とする、画像処理方法。
【請求項１４】
前記画像生成ステップでは、前記複数の第一の画像データのそれぞれについて、画像値が所定の範囲にある領域を抽出し、抽出した複数の領域を合成した領域を、前記造影剤に対応する領域とする
ことを特徴とする、請求項１３に記載の画像処理方法。
【請求項１５】
前記画像生成ステップでは、前記時系列で取得された第一の画像データのうちの所定の期間に含まれる複数の前記第一の画像データにおいて、画像値が所定の範囲にある領域を抽出し、当該抽出された領域を前記造影剤に対応する領域とする
ことを特徴とする、請求項１３に記載の画像処理方法。
【請求項１６】
前記データ取得ステップでは、前記被検体内の吸収係数分布をさらに取得し、
前記画像生成ステップでは、前記吸収係数が所定の閾値を超えていない領域を、前記造影剤に対応する領域から除外する
ことを特徴とする、請求項１３から１５のいずれか１項に記載の画像処理方法。
【請求項１７】
前記画像生成ステップでは、前記第二の画像データにおける前記造影剤に対応する領域に対して、前記第一の画像データの画像値に応じた色相を与える
ことを特徴とする、請求項１３から１６のいずれか１項に記載の画像処理方法。
【請求項１８】
前記画像生成ステップは、前記第二の画像データにおける前記造影剤に対応する領域に対して、前記被検体内の吸収係数に応じた輝度を与える
ことを特徴とする、請求項１３から１６のいずれか１項に記載の画像処理方法。
【請求項１９】
前記第一の画像データは、前記被検体に互いに異なる複数の波長の光をそれぞれ照射することによって得られた複数の光音響画像データに対して演算を行うことで生成された分光画像である、
ことを特徴とする、請求項１３から１５のいずれか１項に記載の画像処理方法。
【請求項２０】
前記複数の波長は、７９７ｎｍおよび８３５ｎｍである
ことを特徴とする、請求項１９に記載の画像処理方法。
【請求項２１】
前記複数の第一の画像データを動画像として出力し、前記第二の画像データを静止画として出力する表示制御ステップをさらに有する
ことを特徴とする、請求項１３から２０のいずれか１項に記載の画像処理方法。
【請求項２２】
前記表示制御ステップでは、前記動画像を所定の速度で繰り返し表示可能である
ことを特徴とする、請求項２１に記載の画像処理方法。
【請求項２３】
前記表示制御ステップでは、前記動画像を早送り表示可能である
ことを特徴とする、請求項２１または２２に記載の画像処理方法。
【請求項２４】
前記第二の画像データは、前記造影剤に対応する領域が強調表示された画像である
ことを特徴とする、請求項１３から２３のいずれか１項に記載の画像処理方法。
【請求項２５】
請求項１３から２４のいずれか１項に記載の画像処理方法をコンピュータに実行させるためのプログラム。
【請求項２６】
前記複数の前記第一の画像データのそれぞれに対して、前記画像値が負値となる領域が抽出されることを特徴とする、請求項１に記載の画像処理装置。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
被検体への光照射により前記被検体内から発生した光音響波に基づいて生成された画像データを処理する画像処理装置であって、
前記画像データと、前記画像データのうちの前記被検体内のリンパ管の領域の一部である着目領域に対する入力を受け付ける入力インタフェースとを表示装置に表示させる表示制御手段と、
前記画像データと、前記入力インタフェースを介して入力された情報とを関連付けて記憶装置に保存する保存制御手段と、
を有することを特徴とする画像処理装置。
【請求項２】
被検体への光照射により前記被検体内から発生した光音響波に基づいて画像データを生成することと、
前記画像データと、前記画像データのうちの前記被検体内のリンパ管の領域の一部である着目領域に対する入力を受け付ける入力インタフェースとを表示装置に表示させる表示制御と、
前記画像データと、前記入力インタフェースを介して入力された情報とを関連付けて記憶装置に保存することと、
を含むことを特徴とする画像処理方法。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
被検体への光照射により前記被検体内から発生した光音響波に基づいて生成された画像データを処理する画像処理装置であって、
前記被検体内のリンパ管の領域を含む前記画像データに対する画像解析により、前記リンパ管の状態を推定する状態推定手段を有する
ことを特徴とする画像処理装置。
【請求項２】
被検体への光照射により前記被検体内から発生した光音響波に基づいて画像データを生成し、
前記被検体内のリンパ管の領域を含む前記画像データに対する画像解析により、前記リンパ管の状態を推定する
ことを特徴とする画像処理方法。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
スプリングバネによって靴に対して上方に付勢され、足の甲を押さえる部分に設けられる押さえベースと、靴に足を入れた時にかかとで押さえられた場合に回転する回転板と、前記回転板とピンと、前記押さえベースとの間に接続された軟硬線とを備え、かかとの重みで前記回転板が回転すると、前記軟硬線が動いて、前記押さえベースを下方に下げる、靴。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
識別情報を表示可能な識別情報表示部と、
遊技の進行を制御する主遊技部と、
遊技の進行に合わせて所定の演出を表示する演出表示部と、
演出表示部への演出表示を制御する副遊技部と、
遊技者によって操作可能な操作部材と、
遊技者にとっての有利度が異なる設定値を変更するための設定値変更部と
を備え、
主遊技部は、
始動口への入球に基づき乱数を取得する乱数取得手段と、
乱数取得手段により乱数が取得された場合、識別情報の変動表示開始条件を充足するまで当該取得された乱数を一時記憶して保留が生起するよう制御する乱数一時記憶手段と、
ある保留に関する識別情報の変動表示開始条件を充足した場合において、当該ある保留を消化して、当該ある保留に係る乱数に基づく当否判定結果に従い、識別情報表示部にて識別情報を変動表示させた後に識別情報の停止識別情報を停止表示するよう制御する識別情報表示制御手段と、
副遊技部側で実行される演出表示に際して必要な遊技情報を副遊技部側へ送信する遊技情報送信手段と
を有し、
副遊技部は、
主遊技部側から送信された遊技情報を受信する遊技情報受信手段と、
遊技情報受信手段により受信された遊技情報に基づき、演出表示部にて表示する演出表示内容を制御する演出表示内容制御手段と
を有し、
実行可能な演出として、第一特定予告と、設定可能な複数の設定値のうち少なくとも２以上の設定値間にて選択確率が異なる第二特定予告とを有し、
前記第一特定予告の選択確率は、前記操作部材の操作により変更可能に構成され、
前記第二特定予告の選択確率は、前記操作部材の操作により変更不可能に構成され、
前記第一特定予告の選択確率は、識別情報の変動表示が行われていない状況で所定条件を満たした場合は予め定められた選択確率に変更され得る一方、設定されている設定値は、識別情報の変動表示が行われていない状況で前記所定条件を満たした場合にも変更されない
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が入球可能な始動口（例えば、第１主遊技始動口Ａ１０）と、
識別情報を表示可能な識別情報表示部（例えば、第１主遊技図柄表示部Ａ２１ｇ）と、
遊技の進行を制御する主遊技部（例えば、主制御基板Ｍ）と、
遊技の進行に合わせて所定の演出を表示する演出表示部（例えば、演出表示装置ＳＧ）と、
演出表示部への演出表示を制御する副遊技部（例えば、副制御基板Ｓ）と、
遊技者によって操作可能な操作部材と、
遊技者にとっての有利度が異なる設定値を変更するための設定値変更部と
を備え、
主遊技部は、
始動口への入球に基づき乱数を取得する乱数取得手段と、
乱数取得手段により乱数が取得された場合、識別情報の変動表示開始条件を充足するまで当該取得された乱数を一時記憶して保留が生起するよう制御する乱数一時記憶手段と、
ある保留に関する識別情報の変動表示開始条件を充足した場合において、当該ある保留を消化して、当該ある保留に係る乱数に基づく当否判定結果に従い、識別情報表示部にて識別情報を変動表示させた後に識別情報の停止識別情報を停止表示するよう制御する識別情報表示制御手段と、
副遊技部側で実行される演出表示に際して必要な遊技情報を副遊技部側へ送信する遊技情報送信手段と
を有し、
副遊技部は、
主遊技部側から送信された遊技情報を受信する遊技情報受信手段と、
遊技情報受信手段により受信された遊技情報に基づき、演出表示部にて表示する演出表示内容を制御する演出表示内容制御手段と
を有し、
実行可能な演出として、第一特定予告と、設定可能な複数の設定値のうち少なくとも２以上の設定値間にて選択確率が異なる第二特定予告とを有し、
前記第一特定予告の選択確率は、前記操作部材の操作により変更可能に構成され、
前記第二特定予告の選択確率は、前記操作部材の操作により変更不可能に構成され、
前記第一特定予告の選択確率は、識別情報の変動表示が行われていない状況で所定条件を満たした場合は予め定められた選択確率に変更され得る一方、設定されている設定値は、識別情報の変動表示が行われていない状況で前記所定条件を満たした場合にも変更されない
ことを特徴とするぱちんこ遊技機である。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
被検体への複数回の光照射により発生した光音響波の受信信号に基づいて生成された、前記複数回の光照射のそれぞれに対応する３次元画像データを含む、時系列の３次元画像データを処理する画像処理装置であって、
前記時系列の３次元画像データに基づいて、前記被検体内の光吸収体の流れ情報を取得する流れ情報取得手段を有する
ことを特徴とする画像処理装置。
【請求項２】
被検体への複数回の光照射により発生した光音響波の受信信号に基づいて生成された、前記複数回の光照射のそれぞれに対応する３次元画像データを含む、時系列の３次元画像データを処理する画像処理方法であって、
前記時系列の３次元画像データに基づいて、前記被検体内の光吸収体の流れ情報を取得する流れ情報取得ステップを有する
ことを特徴とする画像処理方法。
【請求項３】
光パルスを繰り返し照射し、被検体の特定領域における前記被検体の光吸収体分布の３次元画像を実質的に連続的に取得した画像の表示方法であって、一連の連続して取得した画像を、所定の速度で繰り返し再生表示する
ことを特徴とする画像表示方法。
【請求項４】
被検体への複数回の光照射により発生した光音響波の受信信号に基づいて生成された、前記複数回の光照射のそれぞれに対応する３次元画像データを含む、時系列の３次元画像データを処理する画像処理方法をコンピュータに実行させるプログラムであって、
前記画像処理方法は、前記時系列の３次元画像データに基づいて、前記被検体内の光吸収体の流れ情報を取得する流れ情報取得ステップを有する
ことを特徴とするプログラム。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
ユーザの心電図を測定する心電図測定部と、
前記ユーザの血圧を測定する血圧測定部と、
前記心電図測定部による心電図測定が終了したことを検出する測定終了検出部と、
前記心電図測定が終了したことを前記測定終了検出部が検出したことに応答して、前記血圧測定部による血圧測定を行うことを報知するメッセージを出力する報知部と、
前記心電図測定が終了したことを前記測定終了検出部が検出したことに応答して、前記血圧測定を開始する血圧測定制御部と、
を備える測定装置。
【請求項２】
前記ユーザが前記血圧測定に適した姿勢になったことを検出する姿勢検出部をさらに備え、
前記血圧測定制御部は、前記心電図測定が終了したことを前記測定終了検出部が検出したこと、及び前記ユーザが前記血圧測定に適した姿勢になったことを前記姿勢検出部が検出したことに応答して、前記血圧測定を開始する、請求項１に記載の測定装置。
【請求項３】
前記心電図測定が終了してから所定期間が経過するまでに、前記ユーザが前記血圧測定に適した姿勢になったことを前記姿勢検出部が検出しなかったときに、前記血圧測定に適した姿勢をとるよう前記ユーザに指示する指示部をさらに備える、請求項２に記載の測定装置。
【請求項４】
ユーザの心電図を測定する心電図測定部と、
前記ユーザの血圧を測定する血圧測定部と、
前記血圧測定部による血圧測定が終了したことを検出する測定終了検出部と、
前記血圧測定が終了したことを前記測定終了検出部が検出したことに応答して、前記心電図測定部による心電図測定を行うことを報知するメッセージを出力する報知部と、
前記血圧測定が終了したことを前記測定終了検出部が検出したことに応答して、前記心電図測定を開始する心電図測定制御部と、
を備える測定装置。
【請求項５】
前記ユーザに装着される装着部材をさらに備え、
前記心電図測定部は、
前記装着部材の前記ユーザに接触する側の面に設けられた第１の電極と、
前記装着部材の前記ユーザに接触しない側の面に設けられた第２の電極と、
前記第１の電極と前記第２の電極との間の電位差に基づいて前記心電図を生成する心電図生成部と、
を備え、
前記測定装置は、
前記ユーザが前記第２の電極に接触したことを検出する接触検出部と、
前記血圧測定が終了してから所定期間が経過するまでに、前記ユーザが前記第２の電極に接触したことを前記接触検出部が検出しなかったときに、前記第２の電極に接触するよう前記ユーザに指示する指示部と、
をさらに備える、請求項４に記載の測定装置。
【手続補正２】
【補正対象書類名】明細書
【補正対象項目名】００２５
【補正方法】変更
【補正の内容】
【００２５】
ベルト部２０は、ユーザの左手首７０に巻き付けられる部材であり、測定装置１０をユーザの左手首７０に装着するために使用される。ベルト部２０は、内周面及び外周面２１を有する。内周面は、ベルト部２０の表面のうち、測定装置１０がユーザの左手首７０に装着された状態でユーザの左手首７０に面する部分を指す。外周面２１は、ベルト部２０の表面のうち、内周面以外の部分を指す。言い換えると、内周面は、測定装置１０がユーザの左手首７０に装着された状態でユーザに接触する側の面であり、外周面２１は、測定装置１０がユーザの左手首７０に装着された状態でユーザに接触しない側の面である。ベルト部２０は、ユーザに装着される装着部材の一例である。
【手続補正３】
【補正対象書類名】明細書
【補正対象項目名】００９３
【補正方法】変更
【補正の内容】
【００９３】
なお、本実施形態では、測定装置２００の機能がいずれも汎用のプロセッサによって実現される例について説明している。しかしながら、機能の一部又は全部が１又は複数の専用のプロセッサにより実現されてもよい。
【手続補正４】
【補正対象書類名】明細書
【補正対象項目名】００９４
【補正方法】変更
【補正の内容】
【００９４】
［動作例］
図１１は、測定装置２００が血圧測定の後に続いて心電図測定を行う際の動作フローを例示する。
【手続補正５】
【補正対象書類名】明細書
【補正対象項目名】０１０４
【補正方法】変更
【補正の内容】
【０１０４】
測定装置２００は、血圧測定が終了したことに応答して、心電図測定を行うことをユーザに報知する。それにより、ユーザが心電図測定の開始を把握して右手で電極１３２に触るようにさせることができる。測定装置２００は、報知後にユーザが電極１３２に触らなかったときに、右手で電極１３２に触るようユーザに指示する。それにより、心電図測定をより確実に行うことが可能になる。
【手続補正６】
【補正対象書類名】図面
【補正対象項目名】図１０
【補正方法】変更
【補正の内容】
【図１０】
2020028364.tif 000001
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
ユーザの心電情報を測定する心電測定部と、
前記心電情報とは異なる、前記ユーザの生体情報に関連する指標である生理的指標を測定する生理的指標測定部と、
前記生理的指標の測定結果に基づいて、前記ユーザがリラックス状態であるか否かを判定する第１の判定部と、
前記第１の判定部による判定の結果に基づいて前記心電測定部を制御する測定制御部と、
を備える心電計。
【請求項２】
前記生理的指標は、呼吸数であり、
前記第１の判定部は、前記呼吸数が予め設定された閾値を下回る場合に、前記ユーザがリラックス状態であると判定し、前記呼吸数が前記閾値を超える場合に、前記ユーザがリラックス状態でないと判定する、請求項１に記載の心電計。
【請求項３】
前記測定制御部は、前記ユーザがリラックス状態であると前記第１の判定部が判定したことに応答して、前記心電情報の測定を開始し、前記ユーザがリラックス状態でないと前記第１の判定部が判定したことに応答して、前記心電情報の測定を停止するように、前記心電測定部を制御する、請求項１又は２に記載の心電計。
【請求項４】
前記測定制御部は、前記心電測定部による前記心電情報の測定が行われていない期間には、前記生理的指標の測定を継続的に行うように、前記生理的指標測定部を制御する、請求項３に記載の心電計。
【請求項５】
前記心電情報の測定結果に基づいて、前記ユーザがリラックス状態であるか否かを判定する第２の判定部をさらに備え、
前記測定制御部は、前記ユーザがリラックス状態であると前記第１の判定部が判定したことに応答して、前記心電情報の測定を開始し、前記ユーザがリラックス状態でないと前記第２の判定部が判定したことに応答して、前記心電情報の測定を停止するように、前記心電測定部を制御する、請求項１又は２に記載の心電計。
【請求項６】
前記心電情報の測定結果を外部装置に送信する通信制御部をさらに備える請求項１乃至５のいずれか１項に記載の心電計。
【請求項７】
前記第１の判定部による判定の結果を前記ユーザに報知する第１の報知部をさらに備える請求項１乃至６のいずれか１項に記載の心電計。
【請求項８】
第２の報知部をさらに備え、
前記生理的指標測定部は、前記心電情報とは異なる前記ユーザの複数種類の生理的指標を測定し、
前記第１の判定部は、前記ユーザがリラックス状態でないと判定した場合に、前記複数種類の生理的指標のうち、前記ユーザがリラックス状態でないと判定した要因になった種類の生理的指標を示す判定情報を生成し、
前記第２の報知部は、前記判定情報により示される前記ユーザがリラックス状態でないと判定した要因になった種類の生理的指標を前記ユーザに報知する、請求項１乃至７のいずれか１項に記載の心電計。
【請求項９】
前記生理的指標は、呼吸数、脈拍、心拍、及び脈波のうちの少なくとも１つを含む、請求項１乃至８のいずれか１項に記載の心電計。
【手続補正２】
【補正対象書類名】明細書
【補正対象項目名】０００９
【補正方法】変更
【補正の内容】
【０００９】
一態様では、前記生理的指標は、呼吸数であってよく、前記第１の判定部は、前記呼吸数が予め設定された閾値を下回る場合に、前記ユーザがリラックス状態であると判定し、前記呼吸数が前記閾値を超える場合に、前記ユーザがリラックス状態でないと判定してよい。
【手続補正３】
【補正対象書類名】明細書
【補正対象項目名】００３８
【補正方法】変更
【補正の内容】
【００３８】
図３を参照すると、電極３１、３２は、装着部材２０の内周面に設けられる。装着部材２０の内周面は、装着部材２０の表面のうち、心電計１０をユーザに装着した状態（以下、単に装着状態と呼ぶ）でユーザに面する部分を指す。装着状態では、電極３１、３２はユーザの体表面に接する。電極３１、３２は、装着状態でそれらの間にユーザの心臓が位置するように装着部材２０に配置される。電極３１、３２は、例えば、導電性高分子を含浸させた繊維を用いて形成される。電極３１、３２は信号処理回路３３に接続される。
【手続補正４】
【補正対象書類名】明細書
【補正対象項目名】００４５
【補正方法】変更
【補正の内容】
【００４５】
（ソフトウェア構成）
図４を参照して、心電計１０のソフトウェア構成の一例を説明する。図４の例では、心電計１０は、判定部５０、測定制御部５１、心電情報取得部５２、呼吸数算出部５３、通信制御部５４、報知部５５、及び心電情報記憶部５７を備える。判定部５０、測定制御部５１、心電情報取得部５２、呼吸数算出部５３、通信制御部５４、及び報知部５５は、心電計１０の制御部１１が記憶部１５に記憶されたプログラムを実行することによって下記の処理を実行する。制御部１１がプログラムを実行する際は、制御部１１は、プログラムをＲＡＭ１３に展開する。そして、制御部１１は、ＲＡＭ１３に展開されたプログラムをＣＰＵ１２により解釈及び実行して、各構成要素を制御する。心電情報記憶部５７は記憶部１５により実現される。
【手続補正５】
【補正対象書類名】明細書
【補正対象項目名】００６３
【補正方法】変更
【補正の内容】
【００６３】
制御部１１は、報知部５５として動作することができる。例えば、制御部１１は、ステップＳ１２においてユーザがリラックス状態であると判定するまでは、判定結果を示すＬＥＤランプを赤色で点灯する。制御部１１は、ステップＳ１２においてユーザがリラックス状態であると判定してから、ステップＳ１５においてユーザがリラックス状態でないと判定するまで、判定結果を示すＬＥＤランプを青色で点灯する。制御部１１は、ステップＳ１５においてユーザがリラックス状態でないと判定すると、判定結果を示すＬＥＤランプを赤色で点灯する。
【手続補正６】
【補正対象書類名】明細書
【補正対象項目名】００７３
【補正方法】変更
【補正の内容】
【００７３】
第２の判定部６２は、心電情報取得部５２により取得された心電情報に基づいて、ユーザがリラックス状態であるか否かを判定する。具体的には、第２の判定部６２は、心電情報から、隣接するＲ波の間隔であるＲＲＩ（R-R Interval）を算出し、ＲＲＩの時系列データを生成する。続いて、第２の判定部６２は、自己回帰モデルを用いて、ＲＲＩの時系列データからパワースペクトル密度を計算し、０．０５Ｈｚから０．１５Ｈｚまでの周波数領域にわたるパワーの積分値をＬＦとして算出し、０．１５Ｈｚから０．４０Ｈｚまでの周波数領域にわたるパワーの積分値をＨＦとして算出する。ＬＦとＨＦの比であるＬＦ／ＨＦは、交感神経と副交感神経とのバランスを表し、その数値が高いと交感神経優位を示し、その数値が低いと副交感神経優位を示す。第２の判定部６２は、ＬＦ／ＨＦが予め設定された閾値を下回る場合にユーザがリラックス状態であると判定し、ＬＦ／ＨＦが閾値以上である場合に、ユーザがリラックス状態でないと判定する。
【手続補正７】
【補正対象書類名】図面
【補正対象項目名】図１
【補正方法】変更
【補正の内容】
【図１】
2020028365.tif 000001
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段と遊技者が操作可能な操作手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記複数の表示演出のうちの一つの演出として、第５の表示演出をおこなう場合があり、
前記第１の表示演出は、第１の背景画像を表示する演出であり、
前記第２の表示演出は、大当たりを表す第１の大当たり図柄配列を表示する演出であり、
前記第３の表示演出は、第２の背景画像を表示する演出であり、
前記第４の表示演出は、大当たりを表す第２の大当たり図柄配列を表示する演出であり、
前記第５の表示演出は、前記操作手段を表す操作手段画像を表示する演出であり、
前記第１の表示演出と前記第２の表示演出と前記第３の表示演出と前記第４の表示演出と前記第５の表示演出とを含む組み合わせ演出がおこなわれる場合があり、
前記組み合わせ演出では、前記第１の表示演出がおこなわれ、前記第１の表示演出がおこなわれているときに前記第２の表示演出がおこなわれ、前記第２の表示演出における前記第１の大当たり図柄配列は、前記第１の表示演出の前記第１の背景画像の手前に表示され、前記第１の表示演出がおこなわれているときに前記第３の表示演出と前記第５の表示演出とがおこなわれ、前記第３の表示演出における前記第２の背景画像は、前記第１の表示演出における前記第１の背景画像の手前に配置され、前記第３の表示演出がおこなわれているときに、前記第４の表示演出がおこなわれ、前記第４の表示演出における前記第２の大当たり図柄配列は、前記第３の表示演出の前記第２の背景画像の手前に表示され、前記第５の表示演出における前記操作手段画像の表示により遊技者が前記操作手段を操作すると、所定の演出がおこなわれる、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段と遊技者が操作可能な操作手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記複数の表示演出のうちの一つの演出として、第５の表示演出をおこなう場合があり、
前記第１の表示演出は、第１の背景画像を表示する演出であり、
前記第２の表示演出は、大当たりを表す第１の大当たり図柄配列を表示する演出であり、
前記第３の表示演出は、第２の背景画像を表示する演出であり、
前記第４の表示演出は、大当たりを表す第２の大当たり図柄配列を表示する演出であり、
前記第５の表示演出は、前記操作手段を表す操作手段画像を表示する演出であり、
前記第１の表示演出と前記第２の表示演出と前記第３の表示演出と前記第４の表示演出と前記第５の表示演出とを含む組み合わせ演出がおこなわれる場合があり、
前記組み合わせ演出では、前記第１の表示演出がおこなわれ、前記第１の表示演出がおこなわれているときに前記第２の表示演出がおこなわれ、前記第２の表示演出における前記第１の大当たり図柄配列は、前記第１の表示演出の前記第１の背景画像の手前に表示され、前記第１の表示演出がおこなわれているときに前記第３の表示演出と前記第５の表示演出とがおこなわれ、前記第３の表示演出における前記第２の背景画像は、前記第１の表示演出における前記第１の背景画像の手前に配置され、前記第３の表示演出がおこなわれているときに、前記第４の表示演出がおこなわれ、前記第４の表示演出における前記第２の大当たり図柄配列は、前記第３の表示演出の前記第２の背景画像の手前に表示され、前記第５の表示演出における前記操作手段画像の表示により遊技者が前記操作手段を操作すると、所定の演出がおこなわれる、
ことを特徴とする遊技機。
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記装飾図柄は、第１の装飾図柄と第２の装飾図柄と第３の装飾図柄とを有し、前記第３の装飾図柄は、前記第１の装飾図柄および前記第２の装飾図柄よりも後に停止するものとし、
前記装飾図柄表示手段は、所定変動において、前記第１の装飾図柄および前記第２の装飾図柄を複数停止させて同時に複数の図柄配列ラインを表示可能であり、
前記複数の図柄配列ラインのうち、所定の図柄配列ラインに所定の前記第１の装飾図柄および前記第２の装飾図柄が停止した場合には、当該所定変動において遊技者に有利な特典が付与されやすい、
ことを特徴とする遊技機。
【手続補正２】
【補正対象書類名】明細書
【補正対象項目名】０００８
【補正方法】変更
【補正の内容】
【０００８】
[適用例１]
図柄の変動表示を表示可能な図柄表示手段と、
前記図柄表示手段による前記図柄の変動表示に応じて装飾図柄の変動表示を表示可能な装飾図柄表示手段と、
を備えた遊技機であって、
前記装飾図柄は、第１の装飾図柄と第２の装飾図柄と第３の装飾図柄とを有し、前記第３の装飾図柄は、前記第１の装飾図柄および前記第２の装飾図柄よりも後に停止するものとし、
前記装飾図柄表示手段は、所定変動において、前記第１の装飾図柄および前記第２の装飾図柄を複数停止させて同時に複数の図柄配列ラインを表示可能であり、
前記複数の図柄配列ラインのうち、所定の図柄配列ラインに所定の前記第１の装飾図柄および前記第２の装飾図柄が停止した場合には、当該所定変動において遊技者に有利な特典が付与されやすい、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段を備えた遊技機であって、
前記表示手段は、前記複数の表示演出のうちの一つの演出として、所定の第１演出を実行可能であり、
前記表示手段は、前記複数の表示演出のうちの一つの演出として、所定の第２演出を実行可能であり、
前記第１演出は、所定のタイマ画像を表示し、前記タイマ画像を用いてタイマ値をカウントする表示と、前記タイマ値を所定値で停止させる表示を含む演出であり、
前記第２演出は、大当たり期待度を示唆する表示を含む演出であり、
前記表示手段は、前記第１演出において前記タイマ値が所定値で停止したときに、前記第２演出をおこない、
前記第１演出では、前記タイマ画像が複数表示される場合があり、
前記第２演出では、前記第１演出で前記タイマ画像が複数表示された場合、該複数のタイマ画像において、前記タイマ値の停止するタイミングの遅い方が前記大当たり期待度の高い演出をおこなう、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段を備えた遊技機であって、
前記表示手段は、前記複数の表示演出のうちの一つの演出として、所定の第１演出を実行可能であり、
前記表示手段は、前記複数の表示演出のうちの一つの演出として、所定の第２演出を実行可能であり、
前記第１演出は、所定のタイマ画像を表示し、前記タイマ画像を用いてタイマ値をカウントする表示と、前記タイマ値を所定値で停止させる表示を含む演出であり、
前記第２演出は、大当たり期待度を示唆する表示を含む演出であり、
前記表示手段は、前記第１演出において前記タイマ値が所定値で停止したときに、前記第２演出をおこない、
前記第１演出では、前記タイマ画像が複数表示される場合があり、
前記第２演出では、前記第１演出で前記タイマ画像が複数表示された場合、該複数のタイマ画像において、前記タイマ値の停止するタイミングの遅い方が前記大当たり期待度の高い演出をおこなう、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段と遊技者が操作可能な操作手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記第１の表示演出は、リーチ演出の発展先をキャラクタによって示唆するキャラクタ表示と、大当たり期待度を示唆する大当たり期待度示唆表示と、を含むアイコンを複数表示する第１の表示をおこなう演出であり、
前記第２の表示演出は、前記第１の表示におけるアイコンとは異なるアイコンを表示する第２の表示をおこなう演出であり、
前記第３の表示演出は、前記操作手段を表す操作手段画像を表示する演出であり、
前記第４の表示演出は、前記第１の表示演出と前記第２の表示演出と前記第３の表示演出とを行って、遊技者によって前記操作手段が操作されたことに基づいて、前記第１の表示のアイコンと前記第２の表示のアイコンとの中から、一つのアイコンを選択する第１の選択演出をおこなう演出である、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段と遊技者が操作可能な操作手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記第１の表示演出は、リーチ演出の発展先をキャラクタによって示唆するキャラクタ表示と、大当たり期待度を示唆する大当たり期待度示唆表示と、を含むアイコンを複数表示する第１の表示をおこなう演出であり、
前記第２の表示演出は、前記第１の表示におけるアイコンとは異なるアイコンを表示する第２の表示をおこなう演出であり、
前記第３の表示演出は、前記操作手段を表す操作手段画像を表示する演出であり、
前記第４の表示演出は、前記第１の表示演出と前記第２の表示演出と前記第３の表示演出とを行って、遊技者によって前記操作手段が操作されたことに基づいて、前記第１の表示のアイコンと前記第２の表示のアイコンとの中から、一つのアイコンを選択する第１の選択演出をおこなう演出である、
ことを特徴とする遊技機。